(57)【要約】【課題】  外観を向上したマッサージ機を提供する。【解決手段】  本発明のマッサージ機２は、座部３と、背もたれ部４と、施療子５１を有する施療部５と、施療子５１が外部に突出する開口部６と、を備えたものである。そして、開口部６が背もたれ部４から座部３にまで至って開口しており、該開口部６をカバー部材１が覆っている。更に、カバー部材１が少なくとも一つ以上の保持部により座部３の側面に保持されている。これにより、カバー部材１の落ち込み皺が使用後に残ることを防止でき、外観を向上することができる。【選択図】        図１
2010200832.tif 000002
【特許請求の範囲】
【請求項１】
使用者が着座する座部と、使用者がもたれる背もたれ部と、施療子により使用者に施療を行う施療部と、上記施療子が配置された開口部と、を備えたマッサージ機において、上記開口部が背もたれ部から座部に至って形成されており、上記開口部を覆うカバー部材が上記開口部に沿って配設されており、上記カバー部材をマッサージ機に着脱自在で保持する保持部を座部の側面の少なくとも片側に配置したものであることを特徴とするマッサージ機。
【請求項２】
前記カバー部材の前記開口部を覆う面が上記開口部から離れる方向に動くことで、前記保持部が保持を解くものであることを特徴とする請求項１に記載のマッサージ機。
【請求項３】
前記カバー部材が前記保持部の外面を覆う覆い部を備えたものであることを特徴とする請求項１または請求項２に記載のマッサージ機。
【発明の詳細な説明】
【技術分野】
【０００１】
本発明は、マッサージ機、殊に椅子型マッサージ機に関するものである。
【背景技術】
【０００２】
従来から、使用者が着座する座部と、使用者が凭れる背凭れ部と、背凭れ部の一部に形成された開口部と、開口部を介して使用者に施療する施療手段と、からなる椅子型のマッサージ機があった。
【０００３】
この種のマッサージ機は開口部と背凭れ部の他の部位とで大きく外観差のある特有のものとなっており、外観を損ねていた。
【０００４】
そこで、上記外観差を無くすために、特許文献１のように開口部及び背凭れ部の正面を覆う正面カバーを有する背受けクッションを配置したものや、特許文献２のように背凭れ部の前面に背パットを設けたものがあった。
【先行技術文献】
【特許文献】
【０００５】
【特許文献１】特開２００３−３８６００号公報
【特許文献２】特開２０００−３５０７５８号公報
【発明の概要】
【発明が解決しようとする課題】
【０００６】
しかしながら、特許文献１のマッサージ機では、背受けクッションを背凭れ部に取り付ける複数の取付手段が面ファスナーやベルト、連結紐等であったため、使用者によっては十分な強度での固定や、正しい位置での固定が行えないものであった。
【０００７】
そして、側面の取付手段がベルトや連結紐であったため、取付手段の間には隙間が生じており、該隙間から背凭れ部と背受けクッションの間に幼児等の人や猫等のペットが入り込んだり、リモコン送信器等の物が落ち込んだりすることがあった。
【０００８】
その際、施療手段が動作中や移動中等であると、背受けクッションと施療手段の間で人や物等が挟まれて、怪我や破損等の事故を生じるという問題があった。
【０００９】
また、特許文献２では、下端部近傍にファスナーからなる固定手段が設けていないため、近年増加傾向にある施療可能な範囲が広いものに対して、背パットの下端部に捲れ上がりを生じるという問題があった。
【００１０】
特に、座部にまで開口部が至るものでは、座部の開口部に背パットの落ち込み皺が生じると共に、落ち込み皺が使用後にも残ってしまい、外観が著しく損なわれるという問題があった。
【００１１】
そこで、本発明は上記問題に鑑みて発明したものであり、開口部と背もたれ部との外観差を無くすカバー部材に落ち込み皺が残ることを防止して、外観を向上させたマッサージ機を提供することを課題とした。
【課題を解決するための手段】
【００１２】
上記課題を解決するために、本発明のマッサージ機２は、使用者が着座する座部３と、使用者がもたれる背もたれ部４と、施療子５１により使用者に施療を行う施療部５と、上記施療子５１が配置された開口部６と、を備えたものである。そして、上記開口部６が少なくとも腰から座部３に至って形成されると共に、カバー部材１が上記開口部６を覆う位置で着脱自在に配設されていることを特徴としている。更に、上記カバー部材１をマッサージ機２に保持する保持部を座部３の側面の少なくとも片側に配置したものであることも特徴としている。
【００１３】
このような構成としたことで、開口部６をカバー部材１で覆うことができると共に、保持部が座部３の側面に向けてカバー部材１を付勢することができる。
【００１４】
また、請求項２に係る発明は、カバー部材１の開口部６の背もたれ部４側に位置する部位を覆う面が上記開口部６から離れる方向に動くことで、保持部が保持を解くものとしたことを特徴としている。
【００１５】
また、請求項３に係る発明は、カバー部材１が保持部の外面を覆う覆い部１２を備えたものとしたことを特徴としている。
【発明の効果】
【００１６】
上記のように、本発明の請求項１に係るマッサージ機は、施療可能な範囲である開口部が座部まで至っているため、肩から臀部までという広い施療範囲を得ることができる。そして、カバー部材が保持部により座部の側面に向けて付勢されているため、使用者の着座等による開口部へのカバー部材の落ち込みで生じる落ち込み皺が使用者の離席後に解消することができる。このように、保持部により使用後の落ち込み皺を解消したことで、マッサージ機、特に座部の外観を向上することができる。
【００１７】
また、請求項２に係る発明は、カバー部材を開口部から離れる方向に動かすことで、保持部を直接操作することなく、保持部の保持を解くことができる。特に、カバー部材と開口部の間に人や物等が入り込んで施療部に接触した際に、カバー部材が人や物等を介して施療部に押されることで、保持部がカバー部材の保持を解くものとなっている。このように、カバー部材が開口部から離れる方向に動くことで保持部の保持が解かれるため、施療部とカバー部材の間を広げることができる。そして、施療部とカバー部材の間が広がることで、入り込んだ人や物等が施療部から逃れる隙間を形成できるため、怪我や破損等の事故が生じることを防止でき、安全性を向上させることができる。
【００１８】
また、請求項３に係る発明は、保持部の外面を覆う覆い部を設けたことで、施療時等の保持部を操作する必要のない際に、保持部を外観から隠すことができる。そして、保持部が外観から隠れたことで、マッサージ機の外観をより統一したものにできる。更に、保持部の操作時以外での露出を防止したことで、施療時や着座時等の際に使用者が保持部に接触する恐れが無くなり、安全性をより向上することができる。
【図面の簡単な説明】
【００１９】
【図１】本発明の実施形態１のマッサージ機の説明図である。
【図２】同上のマッサージ機の（ａ）がカバー部材の説明図であり、（ｂ）がカバー部材を外した状態のマッサージ機の説明図である。
【図３】同上のマッサージ機の背もたれ部の説明図である。
【図４】図１のＢ−Ｂ断面における説明図である。
【図５】同上のマッサージ機の領域Ａにおける側方保持部の説明図であり、（ａ）が保持状態であり、（ｂ）が側方保持部の保持操作の途中状態である。
【図６】実施形態２のマッサージ機の説明図であり、（ａ）がカバー部材であり、（ｂ）がカバー部材を取り付けたマッサージ機である。
【図７】実施形態３のマッサージ機の説明図であり、（ａ）がカバー部材であり、（ｂ）がカバー部材を取り付けたマッサージ機である。
【発明を実施するための形態】
【００２０】
以下、図面に基づいて本発明の実施形態について説明する。
【００２１】
図１−４に示すように、本発明のマッサージ機２は、使用者が着座する座部３と、使用者がもたれる背もたれ部４と、使用者に施療を行う施療部５と、施療部５の移動範囲となる開口部６と、を有する椅子型マッサージ機である。以下、座部３の使用者が着座する側を上方側とし、その裏面側を下方側とすると共に、背もたれ部４の使用者がもたれる側を前方側とし、その裏面側を後方側とする。
【００２２】
上記背もたれ部４は使用者の腰が配置される腰サポート部分が湾曲しており、背もたれ部４の前面と座部３の上面を曲線で連続する形状となっており、背もたれ部４の前面と座部３の上面が緩やかな湾曲凹面を形成している。
【００２３】
これは、背もたれ部４を形成するフレーム４１が下方に向かうほど前方に向けて湾曲した形状となっており、フレーム４１の下端付近が上方を向いており、座部３の一部を形成しているためである。
【００２４】
つまり、フレーム４１が背もたれ部４だけででなく、座部３の後方部分も形成しているため、背もたれ部４の前面と座部３の上面が面一で連続するものとなっている。なお、符号４２はフレーム４１の座部３用のクッション部であり、フレーム４１の下端付近に座部３としてのクッション性を与えている。
【００２５】
また、上記フレーム４１は前面に開口した開口部６が上端から下端にかけて形成されており、開口部６は背もたれ部４と座部３の両者に渡って開口したものとなっている。
【００２６】
そのため、長身長の使用者は座部３に着座し、背もたれ部４の曲面に合わせて背を丸めることで、肩から腰を施療部５の施療範囲に配置することができ、低身長の使用者は座部３に深く着座することで、肩から腰を施療範囲に配置することができる。
【００２７】
つまり、開口部６が座部３にまで至って開口しているため、使用者が座部３の任意の位置に着座位置をずらすことで、体格差を問わずに常に使用者の肩から腰までを開口部６に位置させることができる。
【００２８】
そして、背もたれ部４が湾曲しているため、曲面に合わせて使用者が背を丸めることで、背もたれ部４及び座部３と使用者との間に隙間が空くことを防止でき、確実に肩から腰までを施療可能としている。なお、図２（ｂ）の符号６１は開口部の外面を覆う開口カバーであり、開口部６内へのものの入り込みを防止するものである。
【００２９】
また、図４に示すように、背もたれ部４の前面と座部３の上面は常時一つのカバー部材１によって覆われており、カバー部材１を介して施療部５による施療が行われるものとなっている。
【００３０】
そして、カバー部材１は背もたれ部４の前面と座部３の上面の間の境界を無くすと共に、マッサージ機２特有の外観である背もたれ部４と開口カバー６１の材質の違いによる外観差も隠しており、湾曲凹面に外観差が無いものとしている。
【００３１】
そのため、背もたれ部４と座部３との外観が一体となっており、一見マッサージ機２に思えない緩やかな背もたれを有するソファのような外観となっている。なお、別部材の背クッション（特に図示しない）を背もたれ部４の前面側に配置することで、背もたれの傾斜を変更し、通常の椅子としても利用可能となっている。
【００３２】
また、カバー部材１の上端の後方側は上端保持部７を介して着脱自在で背もたれ部４の上端に保持されており、上端保持部７は、カバー部材１の上端に設けた係合部７１ａと、背もたれ部４の上端に設けた係合部７１ｂと、からなるものである。
【００３３】
そして、上端保持部７は互いの係合部７１ａ，７１ｂを係合させることでカバー部材１の上端を背もたれ部４に保持し、該係合が解かれるとカバー部材１の保持を解くものとなっている。
【００３４】
また、カバー部材１の下端の前方側は両側の裾１１により袋状の下端保持部９となっており、下端保持部９の袋の内側を座部３の前端を覆うように当接させることで、カバー部材１の下端が座部３の前端に保持されるものとなっている。
【００３５】
このように、カバー部材１は上端を背もたれ部４に下端を座部３に夫々保持されており、使用者が着座位置を調節する際にマッサージ機１に着座したまま腰や臀部をずらしてもカバー部材１がずれないものとなっている。
【００３６】
また、カバー部材１の座部３の上面を覆う部位の両側の一部が側方保持部８によって座部３の夫々の側面に着脱自在で保持されている。
【００３７】
上記側方保持部８は、図５に示すように、カバー部材１及び座部３の側面に夫々線状に並ぶ歯部８２ａ，８２ｂと、上記歯部８２ａ，８２ｂの係脱を行う金具８３と、からなるファスナー８である。
【００３８】
そして、上記座部３の歯部８２ｂは座部３の上面の形状に沿って線状に設けてあり、カバー部材１の歯部８２ａはカバー部材１の側面に座部３の歯部８２ｂと略同じ長さでカバー部材１の側面に沿って線状に設けてある。
【００３９】
また、側方保持部８は、座部３の歯部８２ｂとカバー部材１の歯部８２ａを対向させ、金具８３を歯部８２ａ，８２ｂに沿って後方に向かって動かすことで、二つ歯部８２ａ，８２ｂが係合し、カバー部材１の側面を座部３に保持するものである。
【００４０】
そして、両側の歯部８２ａ，８２ｂが夫々係合することで、カバー部材１の座部３を覆う部位の両側が座部３に保持されると共に、カバー部材１の上記部位が側方保持部８により左右方向に沿って外方に付勢される。
【００４１】
また、カバー部材１の両側が座部３に保持された状態で、金具８３が歯部８２ａ，８２ｂの並びに沿って前方に向かって動くと、歯部８２ａ，８２ｂ間の係合が解かれて、座部３がカバー部材１の両側の保持を解くものである。
【００４２】
このように、カバー部材１を両側で座部３に保持したことで、カバー部材１の座部３を覆う部位が左右外方に付勢された状態となり、着座によりカバー部材１に落ち込み皺が生じても、使用者が離席すると付勢により落ち込み皺が解消される。
【００４３】
そして、上端保持部７と下端側の側方保持部８とでカバー部材１の背もたれ部４を覆う部位を上下に保持するため、上下方向に沿って外方に向けてカバー部材１が付勢されている。
【００４４】
そのため、使用者により開口部６の背もたれ部４に位置する部位に落ち込み皺が生じても、使用者が離席してマッサージ機２が非使用状態となると、上端保持部７と側方保持部８によりカバー部材１の落ち込み皺を解消するものとなっている。
【００４５】
更に、カバー部材１の座部３を覆う部位においても、上端保持部７と下端保持部９による上下方向に沿った保持に加え、側方保持部８と下端保持部９による前後方向に沿った保持がなされており、非使用時に落ち込み皺が残ることを防止している。
【００４６】
また、側方保持部８の前端を開口部６の下端より前方に配置したことで、カバー部材１の上方への捲れ上がりによる開口部６の露出を防止している。
【００４７】
そして、側方保持部８をファスナー８１としたことで、カバー部材１の歯部８２ａと座部３の歯部８２ｂの端部が一致するため、容易に係合位置を認識でき、カバー部材１とマッサージ機２の相対位置がずれて保持されることを防止することができる。
【００４８】
それはそうと、カバー部材１と背もたれ部４の間には側方保持部８が設けておらず、上記カバー部材１と背もたれ部４の一部との間に幼児等の人や猫等のペットあるいはリモコン送信器等の物が入り込む恐れがあるものとなっている。
【００４９】
しかしながら、図５（ｂ）に示すように、カバー部材１の上記部位を前方側に引っ張るあるいは背面側から押す等の前方へカバー部材１を移動させることで、側方保持部８を直接解除操作しなくても側方保持部８の保持を解除可能となっている。
【００５０】
詳しくは、カバー部材１の背もたれ部４に位置する部位を背もたれ部４から離す方向である前方に向けて動かすことで、カバー部材１側の歯部８２ａがカバー部材１に引っ張られて、金具８３が歯部８２ａ，８２ｂに沿って前方に移動する。このとき、金具８３の前方への移動に伴い歯部８２ａ，８２ｂ間の係合が解かれるため、側方保持部８の保持が解除されて、カバー部材１を背もたれ部４からより離すことが可能となり、カバー部材１と背もたれ部４の間に隙間を形成することができる。
【００５１】
つまり、施療部５の動作中にカバー部材１と背もたれ部４の間に人や物等が入り込んで、施療子５１により人や物等がカバー部材１側に押されても、人や物等に押されたカバー部材１が側方保持部８の保持を解除するものとなっている。
【００５２】
これにより、人や物等が施療子５１に押されても、人や物等が側方保持部８の保持の解除により生じた前述の隙間に逃げることができるため、人や物等が上記間に挟まれて怪我や破損等の事故が生じることを防止することができる。
【００５３】
更に、人や物等の挟み込みを防止したことで、入り込んだ人や物等の安全を確保するだけでなく、施療部５やカバー部材１の破損等のマッサージ機２の故障及び不具合の発生も防止することができる。
【００５４】
なお、側方保持部８はファスナー８１のみに限定するのではなく、本願発明の作用効果が得られる着脱時に所定の方向性を有するものであれば適宜設計変更可能である。
【００５５】
ただし、側方保持部８を面ファスナー８１とすると、前方への力に対する保持力に問題があり、且つ係合状態での使用時にカバー部材１への負荷に伴い音が生じる等の使用者に不快感を与える要素が多いものとなる。
【００５６】
また、側方保持部８を凹凸のボタン状の係合部とすると、使用時の負荷で容易に離脱させないために強固な係合が必要となり、カバー部材１と施療部５との間で挟まれた際に容易に係合を解くことができないものとなる恐れがある。そして、各側方保持部８の保持強度を抑えるには側方保持部８を増設することとなり、生産費用の増加及び係脱時の操作に時間を要するものとなる。
【００５７】
また、実施形態２として、図６に示すように、側方保持部８の外面を覆う覆い部１２をカバー部材１に設けた例である。なお、上述の他例と同一の構成については、同一の符号を付加して説明は省略し、本実施形態の特徴のみを説明する。
【００５８】
覆い部１２はカバー部材１の裾１１を側方保持部８より後方まで延設したものであり、覆い部１２が側方保持部８の側方及び上方の外観に露出した面を覆い隠している。
【００５９】
これにより、側方保持部８が外部に露出しないため、施療時等で側方保持部８を操作する必要が無い際に、使用者が側方保持部８に接触して使用者の怪我や側方保持部８の破損等を防止でき、安全性を向上することができる。
【００６０】
そして、覆い部１２が裾１１と一体であるため、外観から側方保持部８の位置を認識し難くでき、外観をより統一したものとなっている。
【００６１】
また、実施形態３として、図７に示すように、裾１１を延設して覆い部１２とせずに、カバー部材１の側方保持部８を設けた部位の上面側に耳部１３を延設して覆い部１２としたものがある。なお、上述の他例と同一の構成については、同一の符号を付加して説明は省略し、本実施形態の特徴のみを説明する。
【００６２】
覆い部１２はカバー部材１に側方保持部８の位置で左右外方に延設した耳部１３となっており、カバー部材１の裾１１とは別部材としたものである。
【００６３】
そして、側方保持部８をカバー部材１の裾１１と別部材としたことで、側方保持部８の位置を容易に認識でき、側方保持部８の係脱を容易に行える使い勝手を向上したものとなっている。
【００６４】
なお、各実施形態では、側方保持部８のマッサージ機２側の設置位置が座部３となっているが、背もたれ部４の腰サポート部にまで至るものであってもよく、本願発明の作用効果が得られるものであれば、適宜設計変更可能である。
【符号の説明】
【００６５】
１  カバー部材
１１  裾
１２  覆い部
２  マッサージ機
３  座部
４  背もたれ部
４１  フレーム
５  施療部
６  開口部
７  上端保持部
８  側方保持部
８１  ファスナー
９  下端保持部
【図１】
2010200832.tif 000003
【図２】
2010200832.tif 000004
【図３】
2010200832.tif 000005
【図４】
2010200832.tif 000006
【図５】
2010200832.tif 000007
【図６】
2010200832.tif 000008
【図７】
2010200832.tif 000009